(57)【要約】【課題】立体視画像を表示させる場合にその操作支援情報を見易くする。【解決手段】表示部１８０は、画像コンテンツ記憶部３００に記憶されている画像コンテンツを表示する。情報入出力部１９０は、平面画像または立体視画像を表示する表示装置２００と接続し、画像コンテンツ記憶部３００に記憶されている画像コンテンツを表示装置２００に表示させるための画像情報を出力する。ＵＩ制御部１４０は、画像コンテンツ記憶部３００に記憶されている画像コンテンツと、操作支援情報（操作ガイド等）とを表示部１８０および表示装置２００に表示させる制御を行う。また、ＵＩ制御部１４０は、表示対象となる画像が立体視画像である場合には、表示部１８０には操作支援情報のみを表示させ、表示装置２００にはその立体視画像のみを表示させる。【選択図】図２
2011166666.tif 000002
【特許請求の範囲】
【請求項１】
記録媒体に記憶されている画像を表示する表示部と、
平面画像または立体視画像を表示する表示装置と接続して前記記録媒体に記憶されている画像を前記表示装置に表示させるための画像情報を出力する情報出力部と、
前記記録媒体に記憶されている画像と当該画像の表示操作を支援するための操作支援情報とを前記表示部および前記表示装置に表示させる制御を行い、当該表示対象となる画像が立体視画像である場合には前記操作支援情報を前記表示部に表示させて当該表示対象となる画像を前記表示部に表示させないように制御を行う制御部と
を具備する画像処理装置。
【請求項２】
前記表示装置に立体視画像を表示するための立体視画像表示モードと、前記表示装置に平面画像を表示するための平面画像表示モードとの何れかを設定する表示モード設定部をさらに具備し、
前記制御部は、前記表示対象となる画像が立体視画像である場合において、前記立体視画像表示モードが設定されている場合には前記表示装置に当該立体視画像のみを表示させて前記表示部に前記操作支援情報のみを表示させる制御を行い、前記平面画像表示モードが設定されている場合には当該立体視画像を平面画像として当該平面画像に前記操作支援情報を重ねた画像を前記表示部および前記表示装置に表示させる
請求項１記載の画像処理装置。
【請求項３】
前記制御部は、前記表示対象となる画像が平面画像であるか立体視画像であるかに応じて前記操作支援情報の前記表示部における配置、色、輝度、文字の大きさの少なくとも１つを変更する請求項１記載の画像処理装置。
【請求項４】
前記制御部は、前記表示対象となる画像が立体視画像である場合には前記表示装置に当該立体視画像のみを表示させ、前記表示部に前記操作支援情報のみを表示させる請求項１記載の画像処理装置。
【請求項５】
前記制御部は、前記表示対象となる画像が立体視画像である場合には前記操作支援情報の少なくとも一部を立体視画像として前記表示部に表示させる請求項１記載の画像処理装置。
【請求項６】
前記制御部は、前記表示対象となる画像が平面画像である場合には当該平面画像に前記操作支援情報を重ねた画像を前記表示部および前記表示装置に表示させる請求項１記載の画像処理装置。
【請求項７】
情報出力部を介して接続される表示装置に、記録媒体に記憶されている画像が表示される場合に当該画像が平面画像であるか立体視画像であるかを判定する判定手順と、
前記表示装置に表示される画像が平面画像である場合には前記記録媒体に記憶されている画像の表示操作を支援するための操作支援情報を当該平面画像に重ねた画像を表示部および前記表示装置に表示させるように制御を行う第１の制御手順と、
前記表示装置に表示される画像が立体視画像である場合には前記操作支援情報を前記表示部に表示させて当該表示対象となる画像を前記表示部に表示させず当該表示対象となる画像を前記表示装置に表示させるように制御を行う第２の制御手順と
を具備する画像処理方法。
【請求項８】
情報出力部を介して接続される表示装置に、記録媒体に記憶されている画像が表示される場合に当該画像が平面画像であるか立体視画像であるかを判定する判定手順と、
前記表示装置に表示される画像が平面画像である場合には前記記録媒体に記憶されている画像の表示操作を支援するための操作支援情報を当該平面画像に重ねた画像を表示部および前記表示装置に表示させるように制御を行う第１の制御手順と、
前記表示装置に表示される画像が立体視画像である場合には前記操作支援情報を前記表示部に表示させて当該表示対象となる画像を前記表示部に表示させず当該表示対象となる画像を前記表示装置に表示させるように制御を行う第２の制御手順と
をコンピュータに実行させるプログラム。
【発明の詳細な説明】
【技術分野】
【０００１】
本発明は、画像処理装置に関し、特に、立体視画像を表示させる画像処理装置および画像処理方法ならびに当該方法をコンピュータに実行させるプログラムに関する。
【背景技術】
【０００２】
近年、人物や動物等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された各画像コンテンツをテレビジョン等の表示装置に順次出力して、その表示装置において各画像コンテンツを表示させる再生方法が提案されている。これにより、例えば、撮像装置により記録された画像コンテンツを大型の表示装置に表示させて見ることができるため、ユーザが画像コンテンツをさらに楽しむことができる。
【０００３】
このように、撮像装置から表示装置に画像コンテンツを順次出力して表示させる場合には、例えば、その画像（画像コンテンツ）にその操作に関する操作支援情報を重ねて撮像装置および表示装置の表示部に表示させることが考えられる。このように操作支援情報をその画像に重ねて撮像装置および表示装置の表示部に表示させることによりユーザは画像コンテンツを見ながらその操作を容易に行うことができる。
【０００４】
ここで、表示対象となる画像コンテンツとしては、撮影対象となった被写体、その撮影条件、その撮影環境等に応じて、色や輝度等が大きく異なる画像が想定される。このため、ユーザが画像コンテンツを見易くするためには、これらを調整して見ることが考えられる。しかしながら、その調整によって画像自体を見易くすることができるが、その画像に重ねて表示される操作支援情報が見難くなることも想定される。
【０００５】
そこで、例えば、映像の明るさが低くなるように調節された場合には、ＲＧＢ出力レベルを大きく補正するオンスクリ−ン表示レベル補正装置が提案されている（例えば、特許文献１参照。）。
【先行技術文献】
【特許文献】
【０００６】
【特許文献１】特開平１０−２９０４０７号公報（図１）
【発明の概要】
【発明が解決しようとする課題】
【０００７】
上述の従来技術によれば、映像信号とＲＧＢ信号を混合する際の映像信号に対するＲＧＢ信号のレベル比を大きくすることができるため、映像の明るさが低くなるように調整された場合でも、オンスクリーン表示が見え難くなることを防止することができる。
【０００８】
ここで、近年では、左右眼の視差を利用して立体的な視覚を得ることができる立体視画像を表示するための立体視画像表示方法が多数提案されている。また、立体視画像を表示するための画像データを画像コンテンツ（立体視画像コンテンツ）として記録するデジタルスチルカメラやデジタルビデオカメラ（カメラ一体型レコーダ）等の撮像装置が提案されている。
【０００９】
このため、例えば、撮像装置により記録された立体視画像コンテンツをテレビジョン等の表示装置に順次出力して、その表示装置において立体視画像を表示させることも想定される。この場合には、その立体視画像に操作支援情報（平面画像）を重ねて表示させることが考えられる。
【００１０】
しかしながら、立体視画像は立体的に見える画像であるため、通常の平面画像を表示する場合と同様に、操作支援情報（平面画像）を立体視画像に重ねて表示させると、立体視画像に操作支援情報が埋もれてしまい、操作支援情報が見え難いことも想定される。また、表示対象となる立体視画像の奥行き感を考慮して、操作支援情報の奥行き感が適切な位置となるように操作支援情報を立体視画像に重ねて表示することが考えられる。この場合には、操作支援情報を配置すべき位置の演算量が多くなり、表示処理にかかる負荷が増加するため、操作支援情報の表示が遅れて見え難くなるおそれがある。
【００１１】
本発明はこのような状況に鑑みてなされたものであり、立体視画像を表示させる場合にその操作支援情報を見易くすることを目的とする。
【課題を解決するための手段】
【００１２】
本発明は、上記課題を解決するためになされたものであり、その第１の側面は、記録媒体に記憶されている画像を表示する表示部と、平面画像または立体視画像を表示する表示装置と接続して上記記録媒体に記憶されている画像を上記表示装置に表示させるための画像情報を出力する情報出力部と、上記記録媒体に記憶されている画像と当該画像の表示操作を支援するための操作支援情報とを上記表示部および上記表示装置に表示させる制御を行い、当該表示対象となる画像が立体視画像である場合には上記操作支援情報を上記表示部に表示させて当該表示対象となる画像を上記表示部に表示させないように制御を行う制御部とを具備する画像処理装置および画像処理方法ならびに当該方法をコンピュータに実行させるプログラムである。これにより、記録媒体に記憶されている画像と操作支援情報とを表示部および表示装置に表示させ、表示対象となる画像が立体視画像である場合には、操作支援情報を表示部に表示させて、その表示対象となる画像を表示部に表示させないように制御を行うという作用をもたらす。
【００１３】
また、この第１の側面において、上記表示装置に立体視画像を表示するための立体視画像表示モードと、上記表示装置に平面画像を表示するための平面画像表示モードとの何れかを設定する表示モード設定部をさらに具備し、上記制御部は、上記表示対象となる画像が立体視画像である場合において、上記立体視画像表示モードが設定されている場合には上記表示装置に当該立体視画像のみを表示させて上記表示部に上記操作支援情報のみを表示させる制御を行い、上記平面画像表示モードが設定されている場合には当該立体視画像を平面画像として当該平面画像に上記操作支援情報を重ねた画像を上記表示部および上記表示装置に表示させるようにしてもよい。これにより、表示対象となる画像が立体視画像である場合において、立体視画像表示モードが設定されている場合には、表示装置にその立体視画像のみを表示させ、表示部に操作支援情報のみを表示させる制御を行い、平面画像表示モードが設定されている場合には、その立体視画像を平面画像として、この平面画像に操作支援情報を重ねた画像を表示部および表示装置に表示させるという作用をもたらす。
【００１４】
また、この第１の側面において、上記制御部は、上記表示対象となる画像が平面画像であるか立体視画像であるかに応じて上記操作支援情報の上記表示部における配置、色、輝度、文字の大きさの少なくとも１つを変更するようにしてもよい。これにより、表示対象となる画像が平面画像であるか立体視画像であるかに応じて、操作支援情報の表示部における配置、色、輝度、文字の大きさの少なくとも１つを変更するという作用をもたらす。
【００１５】
また、この第１の側面において、上記制御部は、上記表示対象となる画像が立体視画像である場合には上記表示装置に当該立体視画像のみを表示させ、上記表示部に上記操作支援情報のみを表示させるようにしてもよい。これにより、表示対象となる画像が立体視画像である場合には、表示装置にその立体視画像のみを表示させ、表示部に操作支援情報のみを表示させるという作用をもたらす。
【００１６】
また、この第１の側面において、上記制御部は、上記表示対象となる画像が立体視画像である場合には上記操作支援情報の少なくとも一部を立体視画像として上記表示部に表示させるようにしてもよい。これにより、表示対象となる画像が立体視画像である場合には、操作支援情報の少なくとも一部を立体視画像として表示部に表示させるという作用をもたらす。
【００１７】
また、この第１の側面において、上記制御部は、上記表示対象となる画像が平面画像である場合には当該平面画像に上記操作支援情報を重ねた画像を上記表示部および上記表示装置に表示させるようにしてもよい。これにより、表示対象となる画像が平面画像である場合には、その平面画像に操作支援情報を重ねた画像を表示部および表示装置に表示させるという作用をもたらす。
【発明の効果】
【００１８】
本発明によれば、立体視画像を表示させる場合にその操作支援情報を見易くするという優れた効果を奏し得る。
【図面の簡単な説明】
【００１９】
【図１】本発明の第１の実施の形態におけるコンテンツ再生システム１０のシステム構成例を示す図である。
【図２】本発明の第１の実施の形態における撮像装置１００の機能構成例を示すブロック図である。
【図３】本発明の第１の実施の形態における表示部１８０（撮像装置１００）および表示部２２０（表示装置２００）の表示例を示す図である。
【図４】本発明の第１の実施の形態における表示部１８０（撮像装置１００）および表示部２２０（表示装置２００）の表示例を示す図である。
【図５】本発明の第１の実施の形態における撮像装置１００による画像コンテンツ再生処理の処理手順の一例を示すフローチャートである。
【図６】本発明の第１の実施の形態における撮像装置１００による画像コンテンツ再生処理の処理手順の一例を示すフローチャートである。
【図７】本発明の第１の実施の形態における表示装置２００による画像コンテンツ再生処理の処理手順の一例を示すフローチャートである。
【図８】本発明の第１の実施の形態における表示部１８０に表示される表示画面の遷移例を示す図である。
【図９】本発明の第２の実施の形態における表示部１８０に表示される表示画面の遷移例を示す図である。
【図１０】本発明の第２の実施の形態における表示部１８０に表示される表示画面の遷移例を示す図である。
【発明を実施するための形態】
【００２０】
以下、本発明を実施するための形態（以下、実施の形態と称する）について説明する。説明は以下の順序により行う。
１．第１の実施の形態（表示制御：表示対象となる画像コンテンツが立体視画像であるか否かに応じて撮像装置および表示装置の表示状態を変更する例）
２．第２の実施の形態（表示制御：表示対象となる画像コンテンツが立体視画像である場合に撮像装置に操作支援情報（立体視画像）を表示する例）
【００２１】
＜１．第１の実施の形態＞
［コンテンツ再生システムの構成例］
図１は、本発明の第１の実施の形態におけるコンテンツ再生システム１０のシステム構成例を示す図である。コンテンツ再生システム１０は、撮像装置１００および表示装置２００を備える。また、撮像装置１００および表示装置２００は、装置間インターフェース２０により接続される。装置間インターフェース２０は、例えば、ＨＤＭＩ（High-Definition Multimedia Interface）ケーブルを用いることができる。なお、装置間インターフェース２０として、撮像装置１００および表示装置２００を有線または無線により接続し、撮像装置１００および表示装置２００間で互いに通信を行うことが可能な他の装置間インターフェースを用いるようにしてもよい。
【００２２】
撮像装置１００は、被写体を撮像して撮像画像（画像データ）を生成し、この生成された撮像画像を画像コンテンツ（静止画コンテンツまたは動画コンテンツ）として記録媒体に記録することが可能な撮像装置である。また、撮像装置１００は、立体視画像（３Ｄ画像）を表示させるための画像コンテンツを生成することが可能な撮像装置である。例えば、撮像装置１００は、被写体を撮像して２つの撮像画像（立体視画像を表示するための左眼用画像および右眼用画像）を生成し、この生成された２つの撮像画像に基づいて、立体視画像を表示させるための画像コンテンツを生成する。
【００２３】
また、撮像装置１００は、装置間インターフェース２０を介して、記録媒体に記憶されている画像コンテンツを表示装置２００に出力し、この出力された画像コンテンツを表示装置２００に表示させる。この場合には、表示装置２００に表示させる画像と同一の画像を表示部１８０に表示させることができる。また、例えば、撮像装置１００は、記録媒体に記憶されている画像コンテンツ（立体視画像）を表示装置２００に出力し、表示装置２００において３Ｄ鑑賞再生（例えば、スライドショー）を行う機能を備える。これらの再生時等には、各操作部材（１３１乃至１３５）が用いられる。なお、撮像装置１００は、デジタルスチルカメラやデジタルビデオカメラ（例えば、カメラ一体型レコーダ）により実現される。また、撮像装置１００の機能構成については、図２を参照して詳細に説明する。
【００２４】
表示装置２００は、装置間インターフェース２０および接続端子（図示せず）を介して撮像装置１００から入力された画像コンテンツを表示部２２０に表示することが可能な表示装置である。また、表示装置２００は、立体視画像を見るための専用メガネ（例えば、アクティブシャッター方式メガネ、偏光板タイプメガネ）をユーザがかけることにより、そのユーザに立体視画像を提供することができる。
【００２５】
例えば、専用メガネとして、ユーザがアクティブシャッター式メガネ（シャッター機構付きメガネ）をかけて立体視画像を表示する場合を想定する。この場合には、表示装置２００は、撮像装置１００から入力された画像コンテンツ（立体視画像コンテンツ）をフレームシーケンシャル表示方式（右眼用画像および左眼用画像を交互に表示する方式）で表示部２２０に表示する。また、専用メガネ（アクティブシャッター式メガネ）は、表示部２２０に交互に表示される右眼用画像および左眼用画像に同期して、その専用メガネのレンズ部に相当する液晶シャッター（電子シャッター）を交互に開閉する。すなわち、表示部２２０に右眼用画像が表示されている場合には、専用メガネの左眼が閉じられ、表示部２２０に左眼用画像が表示されている場合には、専用メガネの右眼が閉じられる。このように、表示部２２０（１つのディスプレイ）に表示される画像を専用メガネでユーザが見ることにより、立体視画像の視聴が可能となる。表示装置２００は、例えば、立体視画像を表示することが可能なテレビジョン等の映像視聴装置により実現される。
【００２６】
［撮像装置の構成例］
図２は、本発明の第１の実施の形態における撮像装置１００の機能構成例を示すブロック図である。撮像装置１００は、撮像制御部１１０と、記録制御部１２０と、操作受付部１３０と、ＵＩ制御部１４０と、再生制御部１５０と、画像メモリ１６０と、表示制御部１７０と、表示部１８０と、情報入出力部１９０とを備える。また、撮像装置１００は、画像コンテンツ記憶部３００および画像管理情報記憶部３１０を備える。
【００２７】
画像コンテンツ記憶部３００は、記録制御部１２０による記録制御に基づいて画像コンテンツ（画像ファイル）を記憶するものである。この画像コンテンツとして、例えば、平面画像（２Ｄ画像）コンテンツ、立体視画像（３Ｄ画像）コンテンツ、動画像コンテンツが記憶される。なお、各画像コンテンツは、例えば、ＤＣＦ（Design rule for Camera File system）規格に基づいて記憶される。また、各画像コンテンツには、属性情報（画像コンテンツの種類、撮影更新日時、画サイズ、色空間情報、メーカー名等の属性情報）が記録される。これにより、各画像コンテンツの種類を識別することが可能である。
【００２８】
画像管理情報記憶部３１０は、記録制御部１２０による記録制御に基づいて、画像コンテンツ記憶部３００に記憶されている画像コンテンツに関する管理情報（画像管理情報）を記憶するものである。この画像管理情報を用いて、各画像コンテンツの種類を識別することが可能である。なお、画像コンテンツ記憶部３００および画像管理情報記憶部３１０は、撮像装置１００に内蔵するようにしてもよく、撮像装置１００から着脱可能とするようにしてもよい。
【００２９】
撮像制御部１１０は、立体視撮像対応の撮像部を備え、操作受付部１３０により受け付けられたユーザ操作に基づいて、被写体を撮像して撮像画像（画像データ）を生成するものであり、生成された撮像画像を記録制御部１２０に出力する。例えば、撮像制御部１１０は、２Ｄ画像コンテンツを記録する記録指示操作（例えば、図１に示すシャッターボタン１３１の押下操作）が受け付けられた場合には、１つの撮像画像を生成する。また、例えば、撮像制御部１１０は、動画コンテンツを記録する記録指示操作が受け付けられた場合には、動画を生成する。また、例えば、撮像制御部１１０は、３Ｄ画像コンテンツを記録する記録指示操作が受け付けられた場合には、被写体を撮像して２つの撮像画像（立体視画像を表示するための左眼用画像および右眼用画像）を生成する。
【００３０】
記録制御部１２０は、撮像制御部１１０から供給された撮像画像を画像コンテンツ（画像ファイル）として画像コンテンツ記憶部３００に記録させるものである。この記録時に、撮像制御部１１０による撮像時に関する各種情報（撮影日時、画サイズ、コンテンツの種類）が画像コンテンツ内に記録される。また、記録制御部１２０は、その記録された画像コンテンツに関する画像管理情報を画像管理情報記憶部３１０に記録させる。
【００３１】
操作受付部１３０は、ユーザからの操作入力を受け付ける操作受付部であり、受け付けられた操作入力に応じた操作内容を撮像制御部１１０、記録制御部１２０およびＵＩ制御部１４０に出力する。例えば、図１に示すシャッターボタン１３１、十字ボタン１３２、決定ボタン１３３、操作ボタン１３４、１３５等の操作部材が撮像装置１００に備えられ、これらによる操作入力が受け付けられる。例えば、操作受付部１３０は、表示装置２００の鑑賞モードとして２Ｄ鑑賞モードまたは３Ｄ鑑賞モードを設定する設定操作が受け付けられた場合には、その旨をＵＩ制御部１４０に出力する。また、操作受付部１３０は、表示装置２００に表示されている画像の表示状態を変更する変更操作（例えば、画送り操作、画戻し操作）が受け付けられた場合には、その旨をＵＩ制御部１４０に出力する。
【００３２】
ＵＩ制御部１４０は、操作受付部１３０により受け付けられた操作入力に基づいて、画像コンテンツ記憶部３００に記憶されている画像コンテンツを、表示部１８０および表示装置２００に表示させる制御を行うものである。例えば、ＵＩ制御部１４０は、表示対象となる画像が平面画像である場合には、その平面画像に操作支援情報（例えば、図３に示す操作支援情報４０１乃至４０６）を重ねた画像を表示部１８０および表示装置２００に表示させる制御を行う。また、例えば、ＵＩ制御部１４０は、表示対象となる画像が立体視画像である場合には、その表示対象となる画像を表示部１８０に表示させず、操作支援情報（例えば、図４に示す操作支援情報４１１乃至４１６）を表示部１８０に表示させるように制御を行う。この場合に、ＵＩ制御部１４０は、表示装置２００にその立体視画像のみを表示させる。また、例えば、ＵＩ制御部１４０は、表示装置２００に立体視画像を表示するための立体視画像表示モードと、表示装置２００に平面画像を表示するための平面画像表示モードとの何れかを設定する。なお、ＵＩ制御部１４０は、特許請求の範囲に記載の制御部および表示モード設定部の一例である。
【００３３】
再生制御部１５０は、ＵＩ制御部１４０の制御に基づいて、画像コンテンツ記憶部３００に記憶されている画像コンテンツを、表示部１８０および表示装置２００に表示させるための再生制御を行うものである。例えば、再生制御部１５０は、画像コンテンツの再生指示操作が行われた場合には、ユーザにより指定された画像コンテンツを画像コンテンツ記憶部３００から取得してデコードし、デコードされた画像データを画像メモリ１６０における所定エリアに展開する。また、再生制御部１５０は、画像コンテンツ記憶部３００から取得された画像コンテンツの種類（２Ｄ画像コンテンツ、３Ｄ画像コンテンツ、動画像コンテンツ）を判別して、この判別結果をＵＩ制御部１４０に通知する。なお、画像コンテンツの種類の判別については、画像コンテンツ内に記録されている属性情報を用いるようにしてもよく、画像管理情報記憶部３１０に記憶されている画像管理情報を用いるようにしてもよい。
【００３４】
画像メモリ１６０は、再生制御部１５０よりデコードされた画像データを保持するものであり、保持されている画像データを表示制御部１７０に供給する。
【００３５】
表示制御部１７０は、ＵＩ制御部１４０の制御に基づいて、表示部１８０および表示装置２００における表示状態を制御するものである。例えば、表示制御部１７０は、２Ｄ鑑賞モードが設定されている場合において、表示対象となる画像が２Ｄ画像である場合には、画像メモリ１６０に保持されている画像データに操作支援情報を重ねた画像（２Ｄ画像）を生成する。この操作支援情報は、ＯＳＤ（on-screen display）画像であり、例えば、図３に示す操作支援情報４０１乃至４０６である。なお、操作支援情報については、図３、図４等を参照して詳細に説明する。そして、表示制御部１７０は、その生成された２Ｄ画像を表示部１８０および表示装置２００に表示させる。すなわち、表示制御部１７０は、その生成された２Ｄ画像を表示部１８０に表示させ、その生成された２Ｄ画像を表示装置２００に表示させるための画像情報（例えば、データストリーム）を情報入出力部１９０を介して表示装置２００に送信する。
【００３６】
また、例えば、表示制御部１７０は、２Ｄ鑑賞モードが設定されている場合において、表示対象となる画像が３Ｄ画像である場合には、画像メモリ１６０に保持されている画像データを２Ｄ画像として表示部１８０および表示装置２００に表示させる。すなわち、表示制御部１７０は、３Ｄ画像を構成する右眼用画像および左眼用画像のうちの何れかを用いて２Ｄ画像を生成し、この２Ｄ画像に操作支援情報を重ねて表示部１８０および表示装置２００に表示させる。
【００３７】
また、例えば、表示制御部１７０は、３Ｄ鑑賞モードが設定されている場合において、表示対象となる画像が３Ｄ画像である場合には、画像メモリ１６０に保持されている画像データを３Ｄ画像として表示装置２００に表示させる。この場合に、表示制御部１７０は、表示装置２００にはその３Ｄ画像を表示させ、表示部１８０にはその３Ｄ画像を表示させずに、操作支援情報（例えば、図４に示す操作支援情報４１１乃至４１６）を表示させる。すなわち、表示制御部１７０は、その操作支援情報を表示部１８０に表示させ、その３Ｄ画像を表示装置２００に表示させるための画像情報（例えば、データストリーム）を情報入出力部１９０を介して表示装置２００に送信する。
【００３８】
また、例えば、表示制御部１７０は、３Ｄ鑑賞モードが設定されている場合において、表示対象となる画像が２Ｄ画像である場合には、画像メモリ１６０に保持されている画像データに操作支援情報を重ねた画像（２Ｄ画像）を生成する。そして、表示制御部１７０は、その生成された２Ｄ画像を表示部１８０および表示装置２００に表示させる。これらの表示例については、図３、図４等を参照して詳細に説明する。
【００３９】
表示部１８０は、表示制御部１７０の制御に基づいて各種情報（平面画像）を表示する表示部である。表示部１８０として、例えば、ＬＣＤ（Liquid Crystal Display）、有機ＥＬ（Electro Luminescence）パネル等を用いることができる。なお、操作受付部１３０および表示部１８０については、表示画面における指等の接触または近接により各種の操作入力を行うことが可能なタッチパネルにより一体で構成するようにしてもよい。
【００４０】
情報入出力部１９０は、装置間インターフェース２０を介して表示装置２００と接続し、ＵＩ制御部１４０の制御に基づいて、表示装置２００との間で行われる各種情報の入出力を行うものである。例えば、情報入出力部１９０は、表示装置２００に画像を表示させるための画像情報として、表示制御部１７０により生成されたデータストリームを表示装置２００に送信する。また、例えば、表示装置２００の鑑賞モードとして３Ｄ鑑賞モードを設定する設定操作が操作受付部１３０により受け付けられた場合には、情報入出力部１９０は、３Ｄ鑑賞モードを設定するための３Ｄ鑑賞モード設定情報を表示装置２００に送信する。また、例えば、表示装置２００の鑑賞モードとして２Ｄ鑑賞モードを設定する設定操作が操作受付部１３０により受け付けられた場合には、情報入出力部１９０は、２Ｄ鑑賞モードを設定するための２Ｄ鑑賞モード設定情報を表示装置２００に送信する。なお、情報入出力部１９０は、特許請求の範囲に記載の情報出力部の一例である。
【００４１】
［撮像装置および表示装置における表示例］
図３および図４は、本発明の第１の実施の形態における表示部１８０（撮像装置１００）および表示部２２０（表示装置２００）の表示例を示す図である。図３には、画像コンテンツとして２Ｄ画像が表示される場合における表示例を示し、図４には、画像コンテンツとして３Ｄ画像が表示される場合における表示例を示す。
【００４２】
図３に示すように、画像コンテンツとして２Ｄ画像が表示される場合には、表示部１８０（撮像装置１００）および表示部２２０（表示装置２００）に略同一の画像が表示される。すなわち、表示部１８０（撮像装置１００）および表示部２２０（表示装置２００）には、２Ｄ画像（図３では蟹４００を含む平面画像）に操作支援情報４０１乃至４０６が重ねて表示される。
【００４３】
ここで、操作支援情報４０１乃至４０６は、例えば、ユーザが画像コンテンツの再生を行う際にその操作を支援するための情報である。この操作支援情報として、例えば、表示対象となる画像に関する各画像情報（例えば、撮影日時、画像サイズ）、操作部材（例えば、画送りボタン、画戻しボタン、停止ボタン）、操作を支援するための操作ガイド情報、各種情報を表すアイコンが表示される。
【００４４】
具体的には、操作支援情報４０１は、表示されている画像のアスペクト比を示す値であり、操作支援情報４０２は、表示されている画像の画サイズを示す値である。また、操作支援情報４０３は、表示対象となる画像の総数と、この総数のうちの表示画像の頁数とを示す値であり、操作支援情報４０４は、表示されている画像が記憶されている記録媒体の種類を示すアイコンである。また、操作支援情報４０５は、表示されている画像の撮影日時を示す値であり、操作支援情報４０６は、表示対象となる画像の画送り操作、または、画戻し操作を支援するための操作ガイドを示す文字である。なお、この例では、操作支援情報として、操作支援情報４０１乃至４０６を表示する場合を示すが、他の操作支援情報を表示するようにしてもよい。なお、操作支援情報４０１乃至４０６は、２Ｄ画像に重ねて表示されるため、２Ｄ画像が見易いように、２Ｄ画像の端部（例えば、２Ｄ画像の上部または下部）に表示させることが好ましい。
【００４５】
ここで、画像コンテンツとして２Ｄ画像が表示されている場合には、その表示画像がユーザには２次元的に見えるため、２次元的な画像（操作支援情報）をその表示画像に重ねて表示させても見え難いことは少ないと想定される。これに対して、画像コンテンツとして３Ｄ画像が表示されている場合には、その表示画像がユーザには立体的に見える。このため、２次元的な画像（操作支援情報）をその表示画面に重ねて表示させると、立体視画像に操作支援情報が埋もれてしまい、操作支援情報が見え難いことも想定される。
【００４６】
例えば、一番奥に配置されるように操作支援情報を表示させると、その手前に浮かび上がっている立体視画像に、その操作支援情報が埋もれて見えることになり、その操作支援情報が見え難く、不自然な画像となるおそれがある。一方、一番手前に配置されるように操作支援情報を表示させると、その操作支援情報が他の立体視画像よりも手前に浮かび上がってしまい、ユーザにとって見え難い画像（例えば、読むのに目が疲れてしまう画像）となるおそれがある。
【００４７】
ここで、映画等の立体視画像は、事前に最適な奥行きを判別することができるため、操作支援情報を適切な位置に配置しておくことも可能である。これに対して、撮像装置１００により記録された立体視画像の場合には、画像によって奥行き量が全く異なる。このため、最適な位置に操作支援情報を配置するためには、例えば、演算処理の速いプロセッサを用いて、莫大な計算をする必要がある。このため、例えば、操作支援情報の配置のための専用回路を設けることも考えられる。しかしながら、撮像装置１００等の携帯型装置の場合には、低価格な機種を提供することが重要であり、コストを低減させることが重要である。このため、そのような専用回路や演算の速いプロセッサを搭載せずに、適切に操作支援情報を表示させることが好ましい。
【００４８】
そこで、本発明の第１の実施の形態では、画像コンテンツとして３Ｄ画像が表示部２２０（表示装置２００）に表示されている場合には、その表示画像に操作支援情報を重ねて表示させない。この場合に、表示部１８０（撮像装置１００）にはその３Ｄ画像を表示させずに、操作支援情報のみを表示させる。この表示例を図４に示す。
【００４９】
図４に示すように、画像コンテンツとして３Ｄ画像が表示される場合には、表示部１８０（撮像装置１００）および表示部２２０（表示装置２００）には異なる画像が表示される。すなわち、表示部２２０（表示装置２００）には、３Ｄ画像（図４では、台に乗ったペンギンのぬいぐるみ４１０を含む立体視画像）のみが表示される。また、表示部１８０（撮像装置１００）には、操作支援情報４１１乃至４１６のみが表示される。
【００５０】
ここで、ユーザが専用メガネ（アクティブシャッター式メガネ）をかけて立体視画像を鑑賞する場合を想定する。この専用メガネは、表示部２２０に交互に表示される右眼用画像および左眼用画像に同期して液晶シャッターを交互に開閉し、かつ、偏光板が入っている。このため、その専用メガネをユーザがかけると、全体的に輝度が落ちたように見えることがある（すなわち、相対的に輝度が低くなるように見えることがある）。このため、表示部２２０（表示装置２００）に立体視画像を表示して立体視画像を鑑賞する場合には、表示パネルの輝度を上げて対応することが考えられる。また、表示部１８０（撮像装置１００）についても、３Ｄ鑑賞モードの設定時には表示パネル輝度を上げて対応することにより、コントラストを確保することができる。
【００５１】
また、表示部２２０（表示装置２００）に立体視画像が表示されている場合において、表示部１８０（撮像装置１００）には、白を付した操作支援情報４１１乃至４１６を黒画像に重ねて表示することにより、コントラストが高い画像とすることができる。なお、この例では、白色と黒色の組み合わせにより操作支援情報を表示する例を示すが、例えば、黄色と黒色の組み合わせにより操作支援情報を表示するようにしてもよい。
【００５２】
なお、操作支援情報４１１乃至４１６は、図３に示す操作支援情報４０１乃至４０６に対応するものである。
【００５３】
また、画像コンテンツとして３Ｄ画像が表示されている場合には、表示部１８０（撮像装置１００）には、３Ｄ画像が表示されず、操作支援情報４１１乃至４１６のみが表示される。このため、操作支援情報４１１乃至４１６を表示画面の端部に表示させる必要がなく、ユーザに見易い位置に操作支援情報４１１乃至４１６を配置して表示させることができる。すなわち、画像コンテンツとして２Ｄ画像が表示されている場合における操作支援情報と、３Ｄ画像が表示されている場合における操作支援情報との配置を変更することができる。また、配置以外に、例えば、表示画面における色、輝度、文字の大きさの少なくとも１つを変更するようにしてもよい。この配置等の変更については、図８を参照して詳細に説明する。
【００５４】
なお、この例では、操作支援情報として、操作支援情報４１１乃至４１６を表示する場合を示すが、他の操作支援情報を表示するようにしてもよい。
【００５５】
また、表示部２２０（表示装置２００）には、３Ｄ画像（台に乗ったペンギンのぬいぐるみ４１０を含む立体視画像）のみが表示されるため、ユーザはさらに見易い立体視画像を楽しむことができる。
【００５６】
このように、本発明の第１の実施の形態によれば、例えば、ユーザが専用メガネ（アクティブシャッター式メガネ）をかけて立体視画像を鑑賞する場合でも、立体視画像および操作支援情報を見易くすることができる。また、立体視画像を鑑賞する場合において、表示装置２００には立体視画像が表示されるため、立体感を阻害することなく、立体画像を楽しむことができる。この場合に、撮像装置１００には操作支援情報のみが表示されるため、操作支援情報が立体視画像に埋もれることがなく、立体視画像における操作を快適に行うことができる。
【００５７】
［撮像装置の動作例］
図５および図６は、本発明の第１の実施の形態における撮像装置１００による画像コンテンツ再生処理の処理手順の一例を示すフローチャートである。この例では、撮像装置１００に記憶されている画像コンテンツを、ユーザによる画送り操作または画戻し操作により表示装置２００に表示させる場合を例にして説明する。また、撮像装置１００の表示部１８０には、２次元画像のみを表示させる場合を例にして説明する。なお、表示装置２００の動作例については、図７を参照して詳細に説明する。
【００５８】
最初に、ユーザ操作により撮像装置１００の電源をオンする操作入力が受け付けられると、撮像装置１００が起動する（ステップＳ９０１）。続いて、２Ｄ鑑賞モードが設定される（ステップＳ９０２）。続いて、装置間インターフェース２０が接続されたか否かが判断される（ステップＳ９０３）。すなわち、装置間インターフェース２０を介して表示装置２００と接続されたか否かが判断される。
【００５９】
装置間インターフェース２０が接続されていない場合には（ステップＳ９０３）、ユーザからの操作入力に応じた各種処理が行われる（ステップＳ９０４）。一方、装置間インターフェース２０が接続された場合（装置間インターフェース２０を介して表示装置２００と接続された場合）には（ステップＳ９０３）、２Ｄ鑑賞モードの設定情報が表示装置２００に送信される（ステップＳ９０５）。すなわち、ＵＩ制御部１４０が、情報入出力部１９０を介して２Ｄ鑑賞モードの設定情報を表示装置２００に送信する。これにより、表示装置２００において２Ｄ鑑賞モードが設定される。また、ユーザが必要に応じて、専用メガネを装着する。
【００６０】
続いて、画送り操作または画戻し操作が行われたか否かが判断される（ステップＳ９０６）。画送り操作または画戻し操作が行われていない場合には（ステップＳ９０６）、ステップＳ９１７に進む。一方、画送り操作または画戻し操作が行われた場合には（ステップＳ９０６）、その操作入力（画送り操作または画戻し操作）に応じて、表示対象画像が選択される（ステップＳ９０７）。すなわち、再生制御部１５０が、その操作入力に応じて、画像コンテンツ記憶部３００から画像コンテンツを取得してデコードし、デコードされた画像データを画像メモリ１６０における所定エリアに展開する。
【００６１】
続いて、表示対象画像が３Ｄ画像であるか否かが判断される（ステップＳ９０８）。すなわち、再生制御部１５０による画像コンテンツの判別結果に基づいて、ＵＩ制御部１４０が３Ｄ画像であるか否かを判断する。表示対象画像が３Ｄ画像でない場合（表示対象画像が２Ｄ画像である場合）には（ステップＳ９０８）、その２Ｄ画像に操作支援情報を重ねた画像が、表示部１８０（撮像装置１００）および表示部２２０（表示装置２００）に表示される（ステップＳ９０９）。すなわち、表示制御部１７０が、画像メモリ１６０に保持されている２Ｄ画像に、操作支援情報を重ねた画像を表示部１８０に表示させ、これと略同一の画像を表示させるための画像情報を情報入出力部１９０を介して表示装置２００に出力する。なお、ステップＳ９０８は、特許請求の範囲に記載の判定手順の一例である。また、ステップＳ９０９は、特許請求の範囲に記載の第１の制御手順の一例である。
【００６２】
また、表示対象画像が３Ｄ画像である場合には（ステップＳ９０８）、３Ｄ鑑賞モードが設定されているか否かが判断され（ステップＳ９１０）、３Ｄ鑑賞モードが設定されている場合には、ステップＳ９１６に進む。一方、３Ｄ鑑賞モードが設定されていない場合には（ステップＳ９１０）、表示制御部１７０が、３Ｄ鑑賞モードを設定するための３Ｄ鑑賞モード設定画面を表示部１８０に表示させる（ステップＳ９１１）。
【００６３】
続いて、表示部１８０に表示されている３Ｄ鑑賞モード設定画面において、３Ｄ鑑賞モードの設定操作が行われたか否かが判断される（ステップＳ９１２）。３Ｄ鑑賞モードの設定操作が行われなかった場合には（ステップＳ９１２）、表示対象となる３Ｄ画像を２Ｄ画像とし、この２Ｄ画像に操作支援情報を重ねた画像が、表示部１８０および表示部２２０に表示される（ステップＳ９１３）。すなわち、表示制御部１７０が、画像メモリ１６０に保持されている３Ｄ画像を２Ｄ画像とし、これに操作支援情報を重ねた画像を表示部１８０に表示させ、これと略同一の画像を表示させるための画像情報を情報入出力部１９０を介して表示装置２００に出力する。
【００６４】
また、３Ｄ鑑賞モードの設定操作が行われた場合には（ステップＳ９１２）、撮像装置１００において３Ｄ鑑賞モードが設定され（ステップＳ９１４）、３Ｄ鑑賞モードの設定情報が表示装置２００に送信される（ステップＳ９１５）。すなわち、ＵＩ制御部１４０が、情報入出力部１９０を介して３Ｄ鑑賞モードの設定情報を表示装置２００に送信する。これにより、表示装置２００において３Ｄ鑑賞モードが設定される。
【００６５】
続いて、操作支援情報が表示部１８０（撮像装置１００）に表示され、表示対象となる３Ｄ画像が表示部２２０（表示装置２００）に表示される（ステップＳ９１６）。すなわち、表示制御部１７０が、操作支援情報を表示部１８０に表示させ、画像メモリ１６０に保持されている３Ｄ画像を表示装置２００に表示させる。この場合に、表示装置２００には操作支援情報が表示されずに３Ｄ画像のみが表示され、表示部１８０には３Ｄ画像が表示されずに操作支援情報のみが表示される。なお、ステップＳ９１６は、特許請求の範囲に記載の第２の制御手順の一例である。
【００６６】
続いて、２Ｄ鑑賞モードの設定操作が行われたか否かが判断される（ステップＳ９１７）。２Ｄ鑑賞モードの設定操作が行われた場合には（ステップＳ９１７）、撮像装置１００において２Ｄ鑑賞モードが設定され（ステップＳ９１８）、２Ｄ鑑賞モードの設定情報が表示装置２００に送信される（ステップＳ９０５）。
【００６７】
また、２Ｄ鑑賞モードの設定操作が行われていない場合には（ステップＳ９１７）、コンテンツ再生終了指示操作が行われたか否かが判断され（ステップＳ９１９）、コンテンツ再生終了指示操作が行われた場合には、画像コンテンツ再生処理の動作を終了する。一方、コンテンツ再生終了指示操作が行われていない場合には（ステップＳ９１９）、ステップＳ９０６に戻る。
【００６８】
なお、この例では、表示対象画像が３Ｄ画像であり、３Ｄ鑑賞モードが設定されていない場合に、３Ｄ鑑賞モード設定画面を表示させ、この３Ｄ鑑賞モード設定画面において３Ｄ鑑賞モードの設定操作を行う例を示した。ただし、所定のユーザ操作により２Ｄ鑑賞モードまたは３Ｄ鑑賞モードの設定を行うための鑑賞モード設定画面を表示させ、この鑑賞モード設定画面において所望の鑑賞モードの設定操作を行うようにしてもよい。
【００６９】
［表示装置の動作例］
図７は、本発明の第１の実施の形態における表示装置２００による画像コンテンツ再生処理の処理手順の一例を示すフローチャートである。この例では、撮像装置１００に記憶されている画像コンテンツを、ユーザによる画送り操作または画戻し操作により表示装置２００に表示させる場合を例にして説明する。
【００７０】
最初に、ユーザ操作により表示装置２００の電源をオンする操作入力が受け付けられると、表示装置２００が起動する（ステップＳ９２１）。続いて、装置間インターフェース２０が接続されたか否かが判断される（ステップＳ９２２）。すなわち、装置間インターフェース２０を介して撮像装置１００と接続されたか否かが判断される。
【００７１】
装置間インターフェース２０が接続されていない場合には（ステップＳ９２２）、ユーザからの操作入力に応じた各種処理が行われる（ステップＳ９２３）。一方、装置間インターフェース２０が接続された場合（装置間インターフェース２０を介して撮像装置１００と接続された場合）には（ステップＳ９２２）、２Ｄ鑑賞モードが設定される（ステップＳ９２４）。また、ユーザが必要に応じて、専用メガネを装着する。
【００７２】
続いて、撮像装置１００からの鑑賞モードの設定情報を受信したか否かが判断され（ステップＳ９２５）、鑑賞モードの設定情報を受信していない場合には、ステップＳ９２９に進む。一方、鑑賞モードの設定情報を受信した場合には（ステップＳ９２５）、３Ｄ鑑賞モードの設定情報を受信したか否か（受信した鑑賞モードの設定情報が３Ｄ鑑賞モードの設定情報であるか否か）が判断される（ステップＳ９２６）。
【００７３】
３Ｄ鑑賞モードの設定情報を受信した場合には（ステップＳ９２６）、３Ｄ鑑賞モードが設定される（ステップＳ９２７）。一方、３Ｄ鑑賞モードの設定情報を受信していない場合（２Ｄ鑑賞モードの設定情報を受信した場合）には（ステップＳ９２６）、２Ｄ鑑賞モードが設定される（ステップＳ９２８）。
【００７４】
続いて、撮像装置１００からの画像情報を受信したか否かが判断され（ステップＳ９２９）、画像情報を受信していない場合には、ステップＳ９３１に進む。一方、画像情報を受信した場合には（ステップＳ９２９）、受信した画像情報に基づいて画像（立体視画像、操作支援情報が重ねられた２次元画像）が表示部２２０に表示される（ステップＳ９３０）。
【００７５】
そして、コンテンツ再生終了指示操作が行われたか否かが判断され（ステップＳ９３１）、コンテンツ再生終了指示操作が行われた場合には、画像コンテンツ再生処理の動作を終了する。一方、コンテンツ再生終了指示操作が行われていない場合には（ステップＳ９３１）、ステップＳ９２５に戻る。
【００７６】
［操作支援情報の配置例］
図３および図４では、２Ｄ画像の表示時に２Ｄ画像に重ねて表示される操作支援情報と、３Ｄ画像の表示時において撮像装置１００に表示される操作支援情報とが略同一である場合を例にして説明した。ここで、２Ｄ画像の表示時には、操作支援情報を２Ｄ画像に重ねて表示するため、操作支援情報が２Ｄ画像になるべく被さらないように配置する必要がある。このため、２Ｄ画像における上下左右の端部付近に操作支援情報を配置することが好ましい。これに対して、３Ｄ画像の表示時には、撮像装置１００には、操作支援情報のみが表示されるため、表示対象となる３Ｄ画像とは無関係に操作支援情報を配置することができる。そこで、専用メガネ（例えば、アクティブシャッター式メガネ）をユーザがかけた状態でも操作支援情報を見易くするため、２Ｄ画像の表示時における操作支援情報と、３Ｄ画像の表示時における操作支援情報とを異なる表示とすることができる。例えば、３Ｄ画像の表示時には、操作支援情報の配置を変更し、文字等を大きくすることができる。この表示例を図８に示す。
【００７７】
図８は、本発明の第１の実施の形態における表示部１８０に表示される表示画面の遷移例を示す図である。図８（ａ）には、２Ｄ画像の表示時における表示部１８０の表示例を示し、図８（ｂ）には、３Ｄ画像の表示時における表示部１８０の表示例を示す。なお、図８に示す例では、表示部２２０（表示装置２００）に表示される画像として、表示対象となる画像の種類を示す文字（「２Ｄ画像」または「３Ｄ画像」）のみを簡略化して示す。
【００７８】
図８（ａ）に示すように、表示部２２０に２Ｄ画像が表示される場合には、表示部１８０には、２Ｄ画像（図８（ａ）では、台に乗った熊のぬいぐるみ４２０を含む平面画像）に操作支援情報４２１乃至４２６が重ねて表示される。この場合に、表示部２２０にも略同一の表示画面が表示される。
【００７９】
操作支援情報４２１は、撮像装置１００のバッテリ容量を示すアイコンであり、操作支援情報４２２は、表示されている画像の画サイズを示す値である。また、操作支援情報４２３は、表示対象となる画像のファイル名（２１９９）と、このファイルが属するフォルダ名（１０１）とを示す数字である。また、操作支援情報４２４は、表示されている画像の撮影日時を示す値である。また、操作支援情報４２５および４２６は、表示されている画像を操作するための操作ガイドである。例えば、操作支援情報４２５は、十字ボタン１３２の左右ボタンを押下することにより、画送り操作または画戻し操作を行うことができる旨を示す操作ガイドである。また、操作支援情報４２６は、十字ボタン１３２の下ボタンを押下することにより、音量調整を行うための設定画面を表示することができる旨を示す操作ガイドである。
【００８０】
図８（ｂ）に示すように、表示部２２０に３Ｄ画像が表示される場合には、表示部１８０には、操作支援情報４３１乃至４３４のみが黒画像に重ねて表示される。この場合に、表示部２２０には、３Ｄ画像のみが表示され、操作支援情報４３１乃至４３４が表示されない。
【００８１】
操作支援情報４３１は、決定ボタン１３３を押下することにより、スクロール再生操作を行うことができる旨を示す操作ガイドである。また、操作支援情報４３２は、十字ボタン１３２の左右ボタンを押下することにより、画送り操作または画戻し操作を行うことができる旨を示す操作ガイドである。また、操作支援情報４３３は、十字ボタン１３２の上ボタンを押下することにより、連続再生を行うことができる旨を示す操作ガイドである。また、操作支援情報４３４は、十字ボタン１３２の下ボタンを押下することにより、３Ｄ鑑賞モードを終了して２Ｄ鑑賞モードを設定することができる旨を示す操作ガイドである。例えば、操作支援情報４３４に示す操作入力（十字ボタン１３２の下ボタンの押下操作）により、図６に示すステップＳ９１７の２Ｄ鑑賞モードの設定操作が行われる。
【００８２】
また、図８に示すように、表示部２２０に２Ｄ画像が表示される場合における操作支援情報４２１乃至４２６よりも、表示部２２０に３Ｄ画像が表示される場合における操作支援情報４３１乃至４３４の数を少なくし、文字を大きくすることができる。このように、表示部２２０に３Ｄ画像が表示される場合における操作支援情報として、最小限の操作支援情報４３１乃至４３４を比較的大きいサイズで表示させることにより、専用メガネをユーザがかけた状態でも操作支援情報を見易くすることができる。これにより、３Ｄ画像の表示時における操作をさらに快適に容易に行うことができる。
【００８３】
＜２．第２の実施の形態＞
本発明の第１の実施の形態では、表示装置２００に３Ｄ画像が表示される場合には、撮像装置１００には操作支援情報を含む平面画像を表示する例を示した。ここで、表示装置２００に３Ｄ画像が表示されている場合には、ユーザが専用メガネをかけている状態であるため、３Ｄ画像を自然に見ることができると想定される。そこで、本発明の第２の実施の形態では、表示装置２００に３Ｄ画像が表示される場合には、撮像装置１００にも３Ｄ画像（操作支援情報を立体的に表示するための３Ｄ画像）を表示する例を示す。なお、本発明の第２の実施の形態におけるコンテンツ再生システムの構成、および、撮像装置および表示装置の機能構成については、撮像装置１００に立体視画像を表示させる点以外は、図１および図２に示す例と略同様である。このため、本発明の第１の実施の形態と共通する部分については、同一の符号を付して、これらの説明の一部を省略する。
【００８４】
すなわち、第２の実施の形態では、撮像装置１００の表示部１８０は、表示装置２００と同様に、立体視画像を見るための専用メガネをユーザがかけることにより、そのユーザに立体視画像を提供することができる表示装置であるものとする。表示部１８０として、立体視画像の表示が可能な液晶ディスプレイ等を用いることができる。
【００８５】
また、撮像装置１００の表示制御部１７０は、ＵＩ制御部１４０からの制御に基づいて、表示部２２０に表示される画像コンテンツが３Ｄ画像である場合には、操作支援情報を立体視画像として表示部１８０に表示させる。この場合に、表示装置２００の表示部２２０に交互に表示される右眼用画像および左眼用画像に同期して、表示部１８０に立体視画像を表示させる。これにより、ユーザが専用メガネをかけている状態で、撮像装置１００および表示装置２００に表示される立体視画像を見ることができる。
【００８６】
［操作支援情報の表示例］
図９および図１０は、本発明の第２の実施の形態における表示部１８０に表示される表示画面の遷移例を示す図である。
【００８７】
図９には、表示装置２００に３Ｄ画像が表示されている場合において、画送り操作を行う場合における表示遷移例を示す。また、図９に示す例では、表示部１８０はタッチパネルにより構成されているものとする。
【００８８】
撮像装置１００の表示部１８０には、画戻し操作を行うための操作支援情報（「前の画像」ボタン）４５１と、画送り操作を行うための操作支援情報（「次の画像」ボタン）４５２とが表示される。なお、図９に示す例では、説明の容易のため、他の操作支援情報の表示を省略して示す。また、図９に示す例では、主に用いられる操作ボタンのみを立体視画像として表示させ、他の操作ボタンについては２次元画像として表示させる例を示す。すなわち、操作支援情報（「次の画像」ボタン）４５２のみを立体視画像として表示させ、操作支援情報（「前の画像」ボタン）４５１については２次元画像として表示させるものとする。
【００８９】
例えば、図９（ａ）に示す状態で、表示装置２００に表示されている３Ｄ画像の画送り操作を行う場合には、ユーザが指４５５で操作支援情報（「次の画像」ボタン）４５２を押下する操作（押下操作）を行う。この押下操作が行われた後における表示例を図９（ｂ）に示す。
【００９０】
図９（ｂ）に示すように、ユーザにより指４５５で操作支援情報（「次の画像」ボタン）４５２が押下されると、操作支援情報（「次の画像」ボタン）４５２の文字部分（次の画像）が押しつぶされたように、その文字部分をアニメーションにより変形させる。これにより、立体的に表示されている操作支援情報（「次の画像」ボタン）４５２の押下操作を行ったことがユーザに把握し易い。なお、ユーザが指４５５を表示部１８０の表示画面に接触させている状態では、ホールド状態とされる。
【００９１】
続いて、図９（ｂ）に示す状態で、ユーザが指４５５を操作支援情報（「次の画像」ボタン）４５２から離す。この場合には、図９（ｃ）に示すように、操作支援情報（「次の画像」ボタン）４５２の文字部分（次の画像）が元の状態となるように、その文字部分をアニメーションにより変形させる。これにより、立体的に表示されている操作支援情報（「次の画像」ボタン）４５２の押下を止めたことをユーザが把握し易い。なお、ユーザが指４５５を表示部１８０の表示画面から離すことにより、表示装置２００に表示されている３Ｄ画像の画送り処理が行われる。
【００９２】
このように、操作支援情報を立体的に浮かび上がるような特殊効果（３次元的視覚効果）を行うことにより、立体視画像を楽しんでいるユーザが操作し易い環境を提供することができる。すなわち、立体的に表示されている操作支援情報（操作ボタン）の押下操作を行った場合には、実際のボタンを押下しているような特殊効果を与えることができ、ユーザに操作の楽しみを提供することができる。
【００９３】
なお、この例では、主に用いられる操作支援情報（例えば、操作ボタン）のみを立体視画像として表示させる例を示したが、他の操作支援情報についても同様に立体視画像として表示させるようにしてもよい。また、その重要度等に基づいて、各奥行きを変更して表示させるようにしてもよい。
【００９４】
また、この例では、タッチパネルを用いてユーザ操作を行う例を示したが、図１０に示すように、カーソルを用いて、ユーザ操作を行うようにしてもよく、他のユーザ操作により行うようにしてもよい。
【００９５】
図１０には、表示装置２００に３Ｄ画像が表示されている場合において、連続再生操作を行う場合における表示遷移例を示す。
【００９６】
撮像装置１００の表示部１８０には、操作支援情報（スクロール再生）５０１と、操作支援情報（画送り／画戻し）５０２と、操作支援情報（連続再生）５０３が表示される。なお、操作支援情報（スクロール再生）５０１は、スクロール再生操作を行うための操作支援情報であり、操作支援情報（画送り／画戻し）５０２は、画送り操作または画戻し操作を行うための操作支援情報である。また、操作支援情報（連続再生）５０３は、連続再生操作を行うための操作支援情報である。なお、図１０に示す例では、説明の容易のため、他の操作支援情報の表示を省略して示す。なお、連続再生は、画送りを撮像装置１００が自動で行う再生処理である。
【００９７】
例えば、図１０（ａ）に示す状態で、表示装置２００に表示されている３Ｄ画像の連続再生操作を行う場合には、ユーザ操作によりカーソル５００を操作支援情報（連続再生）５０３に重ねる。カーソル５００は、例えば、十字ボタン１３２の操作により移動させることができる。このように、カーソル５００を操作支援情報（連続再生）５０３に重ねた状態における表示例を図１０（ｂ）に示す。
【００９８】
図１０（ｂ）に示すように、ユーザ操作によりカーソル５００が操作支援情報（連続再生）５０３に重ねられると、操作支援情報（連続再生）５０３の文字部分（連続再生）がさらに浮かび上がるように、その文字部分をアニメーションにより変形させる。これにより、ユーザ操作の対象となる操作支援情報の立体感をさらに強調することができ、ユーザが把握し易い。なお、カーソル５００が操作支援情報（連続再生）５０３に重ねられている状態で、決定操作（例えば、決定ボタン１３３の押下操作）を行うことにより、連続再生処理を開始させることができる。
【００９９】
また、図１０（ｂ）に示す状態で、カーソル５００を操作支援情報（連続再生）５０３から離す。この場合には、図１０（ｃ）に示すように、操作支援情報（連続再生）５０３の文字部分（連続再生）が元の状態となるように、その文字部分をアニメーションにより変形させる。これにより、立体的に表示されている操作支援情報（連続再生）５０３からカーソル５００が離れたことをユーザが把握し易い。
【０１００】
このように、操作支援情報を立体的に浮かび上がるような特殊効果（３次元的視覚効果）を行うことにより、立体視画像を楽しんでいるユーザが操作し易い環境を提供することができる。すなわち、立体的に表示されている操作支援情報にカーソルを重ねた状態では、その操作支援情報の立体感が強調して表示されるため、ユーザが操作し易くなり、画像コンテンツの楽しみを高めることができる。
【０１０１】
また、この例では、カーソルを用いてユーザ操作を行う例を示したが、図９に示すように、タッチパネルを用いて、ユーザ操作を行うようにしてもよく、他のユーザ操作により行うようにしてもよい。
【０１０２】
なお、本発明の実施の形態では、撮像装置を例にして説明したが、記録媒体に記憶されている立体視画像コンテンツを外部の表示装置に表示させることが可能であり、表示部を備える画像処理装置に本発明の実施の形態を適用することができる。例えば、撮像機能付き携帯電話機、ナビゲーションシステム、携帯型メディアプレイヤー等の画像処理装置に本発明の実施の形態を適用することができる。
【０１０３】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１０４】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１０５】
１０  コンテンツ再生システム
２０  装置間インターフェース
１００  撮像装置
１１０  撮像制御部
１２０  記録制御部
１３０  操作受付部
１３１  シャッターボタン
１３２  十字ボタン
１３３  決定ボタン
１３４、１３５  操作ボタン
１４０  ＵＩ制御部
１５０  再生制御部
１６０  画像メモリ
１７０  表示制御部
１８０  表示部
１９０  情報入出力部
２００  表示装置
２２０  表示部
３００  画像コンテンツ記憶部
３１０  画像管理情報記憶部
【図１】
2011166666.tif 000003
【図２】
2011166666.tif 000004
【図３】
2011166666.tif 000005
【図４】
2011166666.tif 000006
【図５】
2011166666.tif 000007
【図６】
2011166666.tif 000008
【図７】
2011166666.tif 000009
【図８】
2011166666.tif 000010
【図９】
2011166666.tif 000011
【図１０】
2011166666.tif 000012